(57)【要約】      （修正有）【課題】極めて簡単な作業で、しかも良好に取り付け作業が行える画期的で実用性に秀れた格子取付金具を提供する。【解決手段】取付板Ａの一端は格子体側締付固定手段３により格子体２に締付固定し、この取付板Ａの他端は前記押さえ板Ｂの押さえ部６とで構成した挟持固定部５により建築物１の窓１ａのサッシ枠７のリブ７ａに挟持固定することでこの建築物１の窓１ａの外面側に前記格子体２を取り付け固定でき、且つ前記押さえ板Ｂを脱着した際にはこの取付板Ａの他端を前記建築物１の窓１ａの外周壁面に当接して建築物側固定手段４により固定することでこの建築物１の窓１ａの外面側に格子体２を取り付け固定できる構成とした格子取付金具。【選択図】図１
2007070959.tif 000002
【特許請求の範囲】
【請求項１】
一端を格子体に固定し他端を建築物外面部に固定してこの建築物の窓の外面側に前記格子体を取り付け固定する格子取付金具において、一端を締付ネジから成る格子体側締付固定手段により格子体に締付固定し他端を建築物外面部に当接して建築物側固定手段により固定する板材で構成した取付板に押さえ板を着脱自在に重合し、この押さえ板は一端を前記取付板の一端側に前記格子側締付固定手段により締付固定され、他端には前記取付板の他端と共に挟持固定部を構成する押さえ部を設け、前記取付板の一端を前記格子側締付固定手段により格子体に締付固定する際の前記締付ネジの締付押圧によりこの取付板の他端にこの押さえ板の押さえ部が挟持締付されるように構成し、前記取付板の一端は格子体側締付固定手段により格子体に締付固定し、この取付板の他端は前記押さえ板の押さえ部とで構成した挟持固定部により前記建築物の窓のサッシ枠のリブに挟持固定することでこの建築物の窓の外面側に前記格子体を取り付け固定でき、且つ前記押さえ板を脱着した際にはこの取付板の他端を前記建築物の窓の外周壁面に当接して建築物側固定手段により固定することでこの建築物の窓の外面側に格子体を取り付け固定できる構成としたことを特徴とする格子取付金具。
【請求項２】
前記取付板は、板材を立ち上げ屈曲すると共に先端を再度屈曲して、前記格子体に沿設状態に固定する一端、及び前記建築物外面部に沿設状態に当接固定する他端を互いに略平行に形成し、前記押さえ板はこの取付板に重合する形状に形成して構成したことを特徴とする請求項１記載の格子取付金具。
【請求項３】
前記押さえ板の前記押さえ部は、前記挟持固定部を構成する前記取付板の他端に向けて突出する突状部を有した形状とし、この突状部と前記取付板の他端とで前記窓のサッシ枠のリブを挟持してこの取付板の他端をこのサッシ枠のリブに挟持固定する構成としたことを特徴とする請求項１，２のいずれか１項に記載の格子取付金具。
【請求項４】
前記取付板の一端に前記格子体側締付固定手段の締付ネジを挿通するネジ通孔を設け、前記押さえ板の一端にして前記取付板のネジ通孔と連通合致する位置にネジ通孔を設け、この取付板のネジ通孔と押さえ板のネジ通孔を合わせて前記締付ネジを挿通し締付螺動することで、この取付板の一端と押さえ板の一端が格子体に締付固定されると共にこの取付板の他端に対して押さえ板の他端の押さえ部が挟持締付されるように前記格子体側締付固定手段を構成したことを特徴とする請求項１〜３のいずれか１項に記載の格子取付金具。
【請求項５】
前記取付板若しくは押さえ板に設けた係止部に対して、前記押さえ板若しくは取付板に設けた係合部を係合係止することでこの取付板に対する押さえ板の重合位置を位置決め係止する位置決め重合手段を備えたことを特徴とする請求項１〜４のいずれか１項に記載の格子取付金具。
【請求項６】
前記位置決め重合手段は、前記取付板若しくは押さえ板に前記建築物外面部に沿って突出状態に切り出し部を設けると共にこの切り出し部の先端側を前記建築物外面部と略直交方向に屈曲して形成した切り出し状の係止部と、前記押さえ板若しくは取付板に前記係止部を係合係止する切り込み部を形成して成る切り込み状の係合部とにより構成したことを特徴とする請求項５記載の格子取付金具。
【発明の詳細な説明】
【技術分野】
【０００１】
本発明は、建築物の窓の外面側に格子体を取り付け固定する格子取付金具に関するものである。
【背景技術】
【０００２】
従来から、窓を介して建築物内に不審者が侵入することを防止する防犯を目的として、この建築物の窓の外面側に格子体を取り付け固定するための格子取付金具が種々提案されている。
【０００３】
この格子取付金具は、一般に、板材を立ち上げ屈曲すると共に、立ち上げ先端側を再度屈曲した屈曲板体形状の格子取付金具の一端を格子体に固定し、他端を建築物外面部に固定することでこの建築物の窓の外面側に格子体を取り付け固定するものである。
【０００４】
この従来の格子取付金具として、例えば、格子取付金具の一端を格子体の内側（窓側）の取付面に締付ネジで締付固定し、この格子取付金具の他端を建築物の窓の外周壁面に当接してビスやネジなどで固定するものがある。
【０００５】
この建築物の外壁（窓の外周壁面）に固定するタイプの格子取付金具は、格子体の内側の取付面に一端を当接させて建築物内（屋内）から締付ネジで締付固定してこの格子取付金具の一端を格子体に固定する構成の為、この格子取付金具と格子体とを締付固定する前記締付ネジを建築物の外部から螺動操作できず、よって、この格子取付金具を格子体から取り外されてしまうことを良好に防止できるものの、この格子取付金具の他端は建築部の外壁に外側からビスやネジなどで固定する構成の為、この格子取付金具と建築物の外壁とを固定する前記ビスやネジを建築物の外部（屋外）から簡単に取り外し操作できてしまい、よって、窓に取り付け固定した格子体を格子取付金具ごと簡単にこの窓から取り外せてしまうという防犯上の問題点を有した。
【０００６】
その為、例えば格子取付金具と建築物の外壁とを固定するネジのネジ頭の十字溝にボンドやコーキング材を流し込んでネジの螺動操作を不能とするなど、前記ビスやネジを簡単に取り外されないように何らかの対策を要した。
【０００７】
また、例えば、図７に図示したように、格子取付金具の一端を格子体２の内側（窓側）の取付面に締付ネジ３ａで締付固定し、この格子取付金具の他端は先端部を折り返し状に湾曲形成してこの折り返し形状部20を窓のサッシ枠７のリブ７ａに金槌などで打ち込み嵌合係止してこの格子取付金具の他端を前記窓のサッシ枠７のリブ７ａに固定するものがある。
【０００８】
この窓のサッシ枠のリブに固定するタイプの格子取付金具は、上記の建築物の外壁に固定するタイプと同様に、格子取付金具と格子体とを締付固定する締付ネジを外部から容易に取り外しできないうえに、この格子取付金具と建築物とを固定するビスやネジを一切使用せずにこの格子取付金具の他端の折り返し形状部を建築物の窓のサッシ枠のリブに打ち込み嵌合係止することで格子取付金具を建築物の外部面（窓のサッシ枠のリブ）に固定する構成の為、建築物の外部から前記ビスやネジを取り外され、窓から格子体を格子取付金具ごと取り外される心配が無く、それだけ安全性に秀れると共に前記ビスやネジが外部から簡単に取り外されないような対策も一切不要である。
【０００９】
しかし、この窓のサッシ枠のリブに固定するタイプの格子取付金具は、図７に図示したように、サッシ枠７のリブ７ａに格子取付金具の折り返し形状部20を金槌などで打ちつけなければならず、このサッシ枠７のリブ７ａへの取り付け作業が非常に面倒で、しかもこの打ちつけによりサッシ枠７を変形させてしまうといった問題も有し、極めて取り付けが厄介であった為、結局、建築物の外壁にビスやネジで簡単に固定できる上記の建築物の外壁に固定するタイプの方を好んで使用する使用者も多い。
【発明の開示】
【発明が解決しようとする課題】
【００１０】
本発明は、従来にない画期的な格子取付金具であって、従来例の窓のサッシ枠のリブに固定するタイプと同様に格子取付金具を建築物の外面部に固定する際にビスやネジを使用せずにサッシ枠のリブに固定できる為、前記ビスやネジを建築物の外部から簡単に取り外され窓から格子体を格子取付金具ごと簡単に取り外されてしまう心配がなく防犯性に秀れる構成でありながら、従来例の窓のサッシ枠のリブに固定するタイプのように、格子取付金具を窓のサッシ枠のリブに金槌などで打ち付けて打ち込み嵌合係止する面倒で厄介な取り付け作業が一切不要で、単に二枚の板材によってサッシ枠のリブを挟持することで簡単に、しかもサッシ枠を変形させること無く良好に、この格子取付金具を建築物の外面部に固定できる取り付け作業性に極めて秀れた構成で、更に、単に二枚の板材の一方（押さえ板）を取り外すことで、従来の建築物の壁に固定するタイプと同様にこの取付板の他端を建築物の窓の外周壁面に当接してビスやネジなどで固定するといった取り付け方法での使用も可能で、使用者の好みの取り付けスタイルを適宜選択しようできるなど、極めて実用性に秀れた画期的で商品価値の高い格子取付金具を提供することを課題とする。
【課題を解決するための手段】
【００１１】
添付図面を参照して本発明の要旨を説明する。
【００１２】
一端を格子体２に固定し他端を建築物１外面部に固定してこの建築物１の窓１ａの外面側に前記格子体２を取り付け固定する格子取付金具において、一端を締付ネジ３ａから成る格子体側締付固定手段３により格子体２に締付固定し他端を建築物１外面部に当接して建築物側固定手段４により固定する板材で構成した取付板Ａに押さえ板Ｂを着脱自在に重合し、この押さえ板Ｂは一端を前記取付板Ａの一端側に前記格子側締付固定手段３により締付固定され、他端には前記取付板Ａの他端と共に挟持固定部５を構成する押さえ部６を設け、前記取付板Ａの一端を前記格子側締付固定手段３により格子体２に締付固定する際の前記締付ネジ３ａの締付押圧によりこの取付板Ａの他端にこの押さえ板Ｂの押さえ部６が挟持締付されるように構成し、前記取付板Ａの一端は格子体側締付固定手段３により格子体２に締付固定し、この取付板Ａの他端は前記押さえ板Ｂの押さえ部６とで構成した挟持固定部５により前記建築物１の窓１ａのサッシ枠７のリブ７ａに挟持固定することでこの建築物１の窓１ａの外面側に前記格子体２を取り付け固定でき、且つ前記押さえ板Ｂを脱着した際にはこの取付板Ａの他端を前記建築物１の窓１ａの外周壁面に当接して建築物側固定手段４により固定することでこの建築物１の窓１ａの外面側に格子体２を取り付け固定できる構成としたことを特徴とする格子取付金具に係るものである。
【００１３】
また、前記取付板Ａは、板材を立ち上げ屈曲すると共に先端を再度屈曲して、前記格子体２に沿設状態に固定する一端、及び前記建築物１外面部に沿設状態に当接固定する他端を互いに略平行に形成し、前記押さえ板Ｂはこの取付板Ａに重合する形状に形成して構成したことを特徴とする請求項１記載の格子取付金具に係るものである。
【００１４】
また、前記押さえ板Ｂの前記押さえ部６は、前記挟持固定部５を構成する前記取付板Ａの他端に向けて突出する突状部６ａを有した形状とし、この突状部６ａと前記取付板Ａの他端とで前記窓１ａのサッシ枠７のリブ７ａを挟持してこの取付板Ａの他端をこのサッシ枠７のリブ７ａに挟持固定する構成としたことを特徴とする請求項１，２のいずれか１項に記載の格子取付金具に係るものである。
【００１５】
また、前記取付板Ａの一端に前記格子体側締付固定手段３の締付ネジ３ａを挿通するネジ通孔10を設け、前記押さえ板Ｂの一端にして前記取付板Ａのネジ通孔10と連通合致する位置にネジ通孔11を設け、この取付板Ａのネジ通孔10と押さえ板Ｂのネジ通孔11を合わせて前記締付ネジ３ａを挿通し締付螺動することで、この取付板Ａの一端と押さえ板Ｂの一端が格子体２に締付固定されると共にこの取付板Ａの他端に対して押さえ板Ｂの他端の押さえ部６が挟持締付されるように前記格子体側締付固定手段３を構成したことを特徴とする請求項１〜３のいずれか１項に記載の格子取付金具に係るものである。
【００１６】
また、前記取付板Ａ若しくは押さえ板Ｂに設けた係止部８に対して、前記押さえ板Ｂ若しくは取付板Ａに設けた係合部９を係合係止することでこの取付板Ａに対する押さえ板Ｂの重合位置を位置決め係止する位置決め重合手段Ｔを備えたことを特徴とする請求項１〜４のいずれか１項に記載の格子取付金具に係るものである。
【００１７】
また、前記位置決め重合手段Ｔは、前記取付板Ａ若しくは押さえ板Ｂに前記建築物１外面部に沿って突出状態に切り出し部８ａを設けると共にこの切り出し部８ａの先端側を前記建築物１外面部と略直交方向に屈曲して形成した切り出し状の係止部８と、前記押さえ板Ｂ若しくは取付板Ａに前記係止部８を係合係止する切り込み部９ａを形成して成る切り込み状の係合部９とにより構成したことを特徴とする請求項５記載の格子取付金具に係るものである。
【発明の効果】
【００１８】
本発明は上述のように、取付板に押さえ板を着脱自在に重合した二枚の板材から成る構成としたから、取付板の一端は従来例と同様に締付ネジの締付押圧により格子体に締付固定し、この取付板の他端は前記締付ネジの締付押圧を利用して、この取付体の他端と、これと重合する押さえ板の押さえ部とから成る挟持固定部により窓のサッシ枠のリブを挟持して、この取付体の他端を窓のサッシ枠のリブに挟持固定することができる。
【００１９】
即ち、従来例の窓のサッシ枠のリブに固定するタイプと同様に、建築物外面部に格子体を固定する作業にビスやネジを一切使用せずに窓のサッシ枠のリブに固定する構成としたから、前記ビスやネジが建築物の外部から簡単に取り外されてしまうといった心配がなく防犯性に秀れるうえに、この従来例の窓のサッシ枠のリブに固定するタイプに必須の金槌などで打ちつける面倒な取り付け作業やサッシ枠を変形させてしまうといった問題点も生じ得ず、極めて簡便に取付体の他端を窓のサッシ枠のリブに挟持固定し、窓の外面側に良好に格子体を取り付け固定できる。
【００２０】
しかも、取付板から着脱自在な前記押さえ板を脱着した場合には、従来例の建築物の外壁に固定するタイプと同様に、この取付板の一端を格子体に締付固定し、この取付板の他端は建築物外面部に、具体的には建築物の窓の外周壁面に当接し、建築物側固定手段（例えばビスやネジなど）により固定することがきる。
【００２１】
即ち、取付板を窓のサッシ枠のリブに簡便に挟持固定できることは勿論、この取付板を窓のサッシ枠のリブではなく、建築物の窓の外周壁面に固定したい場合には、単に取付板から押さえ板をはずして簡単にこの取付板の端を建築物の窓の外周壁面に固定して使用するといったことも可能である。
【００２２】
よって、本発明は、取付板の一端を格子体に締付固定できることは勿論、他端はビスやネジを使用せずに窓のサッシ枠のリブに固定でき防犯性に秀れ、しかも、これまでは窓のサッシ枠のリブに格子取付金具を固定するには金槌で打ちつける面倒な作業が必要であったところを、本発明においては面倒な打ちつけ作業が一切不要で、サッシ枠を変形させる心配も一切無く極めて簡便に取付板の他端を窓のサッシ枠のリブに挟持固定でき取り付け作業性に極めて秀れ、更に、仮に取付板を窓のサッシ枠のリブではなく建築物の外壁面に、具体的には建築物の窓の外周壁面に固定したい場合には、単に取付板から押さえ板を脱着すればこの取付板を建築物の窓の外周壁面に当接して固定でき、使用者の好みにより取付板を窓のサッシ枠のリブに固定したり建築物の外壁面に固定したりでき取り付けスタイルを適宜選択使用できるなど、極めて実用性に秀れた画期的で商品価値の高い格子取付金具となる。
【発明を実施するための最良の形態】
【００２３】
好適と考える本発明の実施形態（発明をどのように実施するか）を、図面に基づいて本発明の作用を示して簡単に説明する。
【００２４】
取付板Ａに押さえ板Ｂを着脱自在に重合し、この取付板Ａの一端を締付ネジ３ａから成る格子体側締付固定手段３により格子体２に締付固定する。
【００２５】
この際、格子体側締付固定手段３の前記締付ネジ３ａの締付押圧により、前記押さえ板Ｂの一端がこの取付板Ａの一端側に締付固定されると共に、この押さえ板Ｂの他端に設けた押さえ部６が前記取付板Ａの他端に挟持締付される。
【００２６】
従って、前記締付ネジ３ａを締付螺動操作してこの取付板Ａの一端を格子体２に締付固定する作業を行うことで、この取付板Ａの他端と押さえ板Ｂの他端の押さえ部Ｂとで構成した挟持固定部５により建築物１の窓１ａのサッシ枠７のリブ７ａを挟持する作業を達成できる。
【００２７】
即ち、取付板Ａの一端を格子体２に締付固定する作業と、他端を建築物１外面部（サッシ枠７のリブ７ａ）に挟持固定する作業とを同時に、しかも簡単に達成してこの取付板Ａと押さえ板Ｂとにより前記建築物１の窓１ａの外面側に前記格子体２を取り付け固定できることとなる。
【００２８】
従って、これまでは格子取付金具を建築物１の窓１ａのサッシ枠７のリブ７ａに固定する場合には、従来例の通りこの格子取付金具の端に形成した折り返し形状部を金槌などでサッシ枠７のリブ７ａに打ちつけて打ち込み嵌合係止させて取り付けなければならず、この打ち込み作業が非常に面倒で、しかもサッシ枠７が変形してしまう場合があるなど非常に厄介であったところを、本発明においては単に取付板Ａの一端を格子体２に締付固定する為の締付ネジ３ａの締付押圧を利用して挟持固定部５により取付板Ａの他端を窓１ａのサッシ枠７のリブ７ａに挟持固定する構成としたから、面倒な作業を一切要さず、且つサッシ枠７を変形させる心配も一切なく簡単にして良好にこの取付板Ａの他端を窓１ａのサッシ枠７のリブ７ａに固定して窓１ａの外面側に格子体２を取り付け固定できる。
【００２９】
また、取付板Ａから前記押さえ板Ｂを脱着した場合には、この取付板Ａの一端を前記格子体側締付固定手段３により格子体２に締付固定し、この取付板Ａの他端は前記建築物１外面部に、具体的には建築物１の窓１ａの外周壁面に当接して建築物側固定手段４（例えばビスやネジなど）により固定してこの取付板Ａにより前記建築物１の窓１ａの外面側に前記格子体２を取り付け固定できることとなる。
【００３０】
従って、本発明は、取付板Ａを窓１ａのサッシ枠７のリブ７ａではなく窓１ａの外周壁面に固定したい場合においては、単に取付板Ａに着脱自在に重合した押さえ板Ｂを脱着するだけで簡単にこの取付板Ａの端を建築物１の窓１ａの外周壁面に固定して使用することも可能となる。
【００３１】
また、例えば、前記取付板Ａは、板材を立ち上げ屈曲すると共に先端を再度屈曲して、前記格子体２に沿設状態に固定する一端、及び前記建築物１外面部に沿設状態に当接固定する他端を互いに略平行に形成し、前記押さえ板Ｂはこの取付板Ａに重合する形状に形成して構成した場合には、単に板材を屈曲して前記取付板Ａ及び押さえ板Ｂを夫々極めて簡易に製造可能な構成で量産化が容易にして生産性に秀れた格子となり、しかもこの取付板Ａの一端を例えば格子体２の面方向に沿って締付固定し、取付板Ａの他端を建築物１の壁面（窓１ａの外周壁面）や建築物１の壁面に沿って突出する前記サッシ枠７のリブ７ａに固定することで、窓１ａの外面側にこの窓１ａに平行に前記格子体２を取り付け固定することを確実に達成でき、よって、上記の作用効果を確実に、しかも良好に発揮し得る格子取付金具を生産性に秀れた簡易な構成で良好に実現可能となる。
【００３２】
また、例えば、前記押さえ板Ｂの前記押さえ部６は、前記挟持固定部５を構成する前記取付板Ａの他端に向けて突出する突状部６ａを有した形状とし、この突状部６ａと前記取付板Ａの他端とで前記窓１ａのサッシ枠７のリブ７ａを挟持してこの取付板Ａの他端をこのサッシ枠７のリブ７ａに挟持固定する構成とした場合には、この押さえ板Ｂの押さえ部６と前記取付板Ａの他端とで構成する挟持固定部５によって前記窓１ａのサッシ枠７のリブ７ａを挟持して簡便に窓１ａに格子体２を取り付け固定できる上記の作用効果が一層確実に達成されることとなる。
【００３３】
また、例えば、前記取付板Ａの一端に前記格子体側締付固定手段３の締付ネジ３ａを挿通するネジ通孔10を設け、前記押さえ板Ｂの一端にして前記取付板Ａのネジ通孔10と連通合致する位置にネジ通孔11を設け、この取付板Ａのネジ通孔10と押さえ板Ｂのネジ通孔11を合わせて前記締付ネジ３ａを挿通し締付螺動することで、この取付板Ａの一端と押さえ板Ｂの一端が格子体２に締付固定されると共にこの取付板Ａの他端に対して押さえ板Ｂの他端の押さえ部６が挟持締付されるように前記格子体側締付固定手段３を構成した場合には、取付板Ａと押さえ板Ｂとに夫々連通合致する位置にネジ通孔10，６を設けた簡単な構成でありながら、この取付板Ａに対して押さえ板Ｂを重合して、互いに連通するネジ通孔10，６に締付ネジ３ａを挿通し締付ネジ３ａを締め付ける簡単な作業（従来例の一端を締付ネジ３ａにより格子体２に締付固定する作業と同様の作業）で取付板Ａと押さえ板Ｂが前記格子体２に締付固定されることとなり、必然的に、この取付板Ａの一端に対して押さえ板Ｂの一端を締付固定することも確実に達成でき、且つ、取付板Ａの他端に対して押さえ板Ｂの他端の押さえ部６を挟持締付することも確実に達成でき、上記の作用効果を確実に、しかも良好に発揮し得る格子取付金具を一層簡易に設計実現可能となる。
【実施例】
【００３４】
本発明の具体的な実施例について図面に基づいて説明する。
【００３５】
本実施例は、図６に図示したように、一端を格子体２に固定し他端を建築物１外面部に固定してこの建築物１の窓１ａの外面側に前記格子体２を取り付け固定する格子取付金具において、一端を締付ネジ３ａから成る格子体側締付固定手段３により格子体２に締付固定し他端を建築物１外面部に当接して建築物側固定手段４により固定する板材で構成した取付板Ａに押さえ板Ｂを着脱自在に重合し、この押さえ板Ｂは一端を前記取付板Ａの一端側に前記格子側締付固定手段３により締付固定され、他端には前記取付板Ａの他端と共に挟持固定部５を構成する押さえ部６を設け、前記取付板Ａの一端を前記格子側締付固定手段３により格子体２に締付固定する際の前記締付ネジ３ａの締付押圧によりこの取付板Ａの他端にこの押さえ板Ｂの押さえ部６が挟持締付されるように構成し、前記取付板Ａの一端は格子体側締付固定手段３により格子体２に締付固定し、この取付板Ａの他端は前記押さえ板Ｂの押さえ部６とで構成した挟持固定部５により前記建築物１の窓１ａのサッシ枠７のリブ７ａに挟持固定することでこの建築物１の窓１ａの外面側に前記格子体２を取り付け固定でき、且つ前記押さえ板Ｂを脱着した際にはこの取付板Ａの他端を前記建築物１の窓１ａの外周壁面に当接して建築物側固定手段４により固定することでこの建築物１の窓１ａの外面側に格子体２を取り付け固定できるように構成したものである。
【００３６】
格子体２は、図６に図示したように、上下一対に横設した横桟体２ａに対して、縦桟体２ｂを架設状態にして所定間隔を介して複数並設に設けた一般的な面格子状の格子体２を採用している。
【００３７】
また、この格子体２の上下一対の横桟体２ａには夫々、後述の格子体側締付固定手段３の角ナット３ｂが横方にスライド自在に挿入配設されるスライド凹条14を設けている。
【００３８】
取付板Ａは、図１に図示したように、板材（金属製板材）を略９０°に立ち上げ屈曲すると共に先端を再度略９０°に屈曲し、前記格子体２に沿設状態に固定する一端、及び前記建築物１外面部に沿設状態に当接固定する他端を互いに略平行に形成した構成である。
【００３９】
また、この取付板Ａの前記格子体２に固定する一端には前記格子体側締付固定手段３の締付ネジ３ａを挿通するネジ通孔10を設け、他端には前記建築物側固定手段４の止着ネジ４ａが挿通する通孔12を形成している。
【００４０】
従って、図４及び図５に図示したように、この取付板Ａの他端を建築物１外面部に当接して前記通孔12に挿通した前記止着ネジ４ａを建築物１に螺着することでこの取付板Ａの他端を建築物１外面部に沿設状態に止着固定するように前記建築物側固定手段４が構成される。尚、この建築物側固定手段４は、本実施例の止着ネジ４ａに限らず、例えば、この通孔12に挿通状態にクギなどの止着部材を挿通してこの取付板Ａを建築物１外面部に固定する構成としても良く、他にも、本実施例の同様の機能を発揮する構成であれば良い。
【００４１】
また、この取付板Ａの一端及び他端との中間部には、後述の位置決め重合手段Ｔの係止部８を設けている。この係止部８は、具体的には、図１に図示したように、前記建築物１外面部に沿って突出状態に切り出し部８ａを設けると共にこの切り出し部８ａの先端側を前記建築物１外面部に略直交方向に屈曲して形成した切り出し状の係止部８に構成している。
【００４２】
この取付板Ａに重合する形状に前記押さえ板Ｂを形成しており、具体的には、図１に図示したように、板材（金属製板材）を略９０°に立ち上げ屈曲すると共に先端を再度屈曲した形状に形成している。
【００４３】
この押さえ板Ｂの押さえ部６は、前記挟持固定部５を構成する前記取付板Ａの他端に向けて突出する突状部６ａを有した形状としている。具体的には、図１及び図３に図示したように、この押さえ部６が先端ほど前記取付板Ａに向けて突出傾斜した形状に構成している。
【００４４】
従って、図３に図示したように、この押さえ板Ｂの押さえ部６の先端にして突状部６ａと、前記取付板Ａの他端とにより、前記窓１ａのサッシ枠７のリブ７ａが確実に挟持固定される。
【００４５】
また、この押さえ板Ｂの前記押さえ板部６と反対側の一端には、前記取付板Ａの一端に設けたネジ通孔10に連通合致する位置にネジ通孔11を設けている。
【００４６】
また、図１に図示したように、この押さえ板Ｂの一端から他端近傍位置に至る位置には補強用リブ13が設けられており、この押さえ板Ｂの強度を上げると共に、この押さえ部６を前記取付板Ａに挟持締付して挟持固定部５により前記窓１ａのサッシ枠７のリブ７ａを強固に挟持固定し得る構成としている。
【００４７】
また、この押さえ板Ｂの一端と押さえ部６との中間部には、後述の位置決め重合手段Ｔの係合部９を設けている。具体的には、前記取付板Ａに形成した切り出し部８ａから成る係止部８を係合係止する切り込み部９ａから成る切り込み状の係合部９に構成している。
【００４８】
本実施例においては、この押さえ板Ｂの係合部９と、前記取付板Ａの係止部８から成ると共にこの取付板Ａの係止部８に対して押さえ板Ｂの係合部９を係合係止することでこの取付板Ａに対する押さえ板Ｂの重合位置を位置決め係止する位置決め重合手段Ｔを備えている。
【００４９】
具体的には、前記取付板Ａに設けた係止部８の切り出し部８ａを、図２に図示したように、前記押さえ板Ｂに設けた係合部９の切り込み部９ａに挿通配設してこの切り出し部８ａを切り込み部９ａに引っ掛けた状態とした際に、取付板Ａの一端に設けたネジ通孔10と、押さえ板Ｂに設けたネジ通孔11とが連通合致する位置に位置決め重合するように前記係止部８と係合部９との位置を設定して位置決め重合手段Ｔを構成している。
【００５０】
また、取付板Ａの一端に対して略９０°に立ち上げ屈曲した中間部と、押さえ板Ｂに対して略９０°に立ち上げ屈曲した中間部に夫々係止部８と係合部９とを設けると共に、前記係止部８は取付板Ａの中間部の面方向に沿って切り出し部８ａの先端が屈曲されている為、この係止部８と係合部９とを係合係止した状態のまま、即ち、取付板Ａのネジ通孔10と押さえ板Ｂのネジ通孔11とが連通合致した状態を保持したまま、この取付板Ａと押さえ板Ｂとを重合方向にスライド微動可能である。
【００５１】
また、本実施例においては、取付板Ａの一端に設けたネジ通孔10と、この取付板Ａのネジ通孔10と連通合致する位置に設けた前記押さえ板Ｂのネジ通孔11とを合わせて前記締付ネジ３ａを挿通し締付螺動することで、この取付板Ａの一端と押さえ板Ｂの一端が格子体２に締付固定されると共にこの取付板Ａの他端に対して押さえ板Ｂの他端の押さえ部６が挟持締付されるように前記格子体側締付固定手段３を構成している。
【００５２】
この格子体側締付固定手段３は、図１及び図２に図示したように、格子体２の横桟体２ａに設けたスライド凹条14に角ナット３ｂをスライド自在に挿入配設したうえで、前記取付体Ａのネジ通孔10に挿通した締付ネジ３ａ、或いは取付体Ａのネジ通孔10と押さえ板Ｂのネジ通孔11とに連通状態に挿通した締付ネジ３ａをこの角ナット３ｂに螺着して、この取付体Ａ、或いは取付体Ａ及び押さえ板Ｂをこの格子体２に締付固定する構成である。
【００５３】
この角ナット３ｂは、前記格子体２のスライド凹条14内をスライド自在にして、このスライド凹条14内を自転回転不能なサイズに設定している。
【００５４】
従って、前記締付ネジ３ａをこの角ナット３ｂに螺着する際にはこの角ナット３ｂが自転回転せず良好に前記締付ネジ３ａを螺着で切ると共に、この角ナット３ｂを所定位置にスライド移動させてこの格子体２に対して所定の位置に確実に前記取付体Ａ、或いは取付体Ａ及び押さえ板Ｂを締付固定できる。
【００５５】
また、少なくとも取付体Ａの一端に押さえ板Ｂの一端が面接当接した際には、この取付体Ａの他端に対して押さえ板Ｂの押さえ部６の突状部６ａが当接若しくは近接するようにこの取付体Ａに対する押さえ板Ｂの形状を設定して、締付ネジ３ａを締め付けた際に取付体Ａの他端と押さえ板Ｂの他端の押さえ部６の突状部６ａとが確実に前記サッシ枠７のリブ７ａと当接して挟持固定が確実に為されるように構成している。
【００５６】
尚、図中符号15は、前記格子体２の横桟体２ａの端部に着脱自在に設けて、この横桟体２ａのスライド凹条14内に前記角ナット３ｂを挿入配設する為の開口部を開閉する蓋体15である。
【００５７】
本実施例は、上述のように構成したから、取付体Ａと押さえ板Ｂとを位置決め重合手段Ｔにより所定重合位置に重合せしめ、挟持固定部５を構成する取付板Ａの他端と押さえ板Ｂの押さえ部６との間に前記窓１ａのサッシ枠７のリブ７ａが位置するようにこの取付体Ａと押さえ板Ｂの位置を合わせたうえで、この取付体Ａの一端と押さえ板Ｂの一端に夫々形成したネジ通孔10，11に挿通した締付ネジ３ａを、格子体２の横桟体２ａのスライド凹条14に挿入配設した角ナット３ｂに螺着して、建築物の内側（図３中、上方側）から螺動操作して締付ネジ３ａを締め付けると、図２及び図３に図示したように、取付体Ａの一端は格子体２に締付固定され、他端は窓１ａのサッシ枠７のリブ７ａに固定され、よって、この取付体Ａ及び押さえ板Ｂにより格子体２の複数箇所（本実施例では４箇所）を建築物１外面部（窓１ａのサッシ枠７のリブ７ａ）に固定して、図６に図示したように、この格子体２を窓１ａの外面側に取り付け固定できる。
【００５８】
即ち、従来においては、窓１ａのサッシ枠７のリブ７ａに格子取付金具を固定するには、この格子取付金具を金槌でサッシ枠７のリブ７ａに打ちつけて打ち込み嵌合係止する面倒な作業が必要であったところを、本実施例品においては面倒な打ちつけ作業が一切不要で、サッシ枠７を変形させる心配も一切無く極めて簡便に取付板Ａの他端を窓１ａのサッシ枠７のリブ７ａに挟持固定できることとなる。
【００５９】
また、取付体Ａに前記押さえ板Ｂを重合せずに、この取付体Ａの一端をネジ通孔10に挿通した締付ネジ３ａを角ナット３ｂに螺着することで格子体２に締付固定すると共に、他端は建築物１の窓１ａの外周壁面に沿設状態に当接してこの他端に設けた通孔12に挿通した前記止着ネジ４ａを建築物１に螺着することで、図４及び図５に図示したように、取付体Ａの一端は格子体２に締付固定され、よって、この取付体４他端は窓１ａの外周壁面に固定され、よって、この取付体Ａにより格子体２の複数箇所を建築物１外面部（窓１ａの外周壁面）に固定してこの格子体２を窓１ａの外面側に取り付け固定できる。
【００６０】
よって、本実施例は、取付板Ａの一端を格子体２に確実に締付固定できることは勿論、他端は図２及び図３に図示したように、ビスやネジを使用せずに窓１ａのサッシ枠７のリブ７ａに固定できるから建築物１の外部からビスやネジを取り外され格子体２を取り外されてしまうといった問題が生じ得ず防犯性に秀れ、しかも、例えばサッシ枠７のリブ７ａに取付板Ａを金槌などにより打ちつける面倒な取り付け作業や、サッシ枠７を変形させてしまう心配も一切不要で、格子体２を極めて簡便に窓１ａに取り付け固定できる実用上の秀れた作用効果を有し、更に、仮に取付板Ａを窓１ａのサッシ枠７のリブ７ａではなく建築物１の外壁面に、具体的には建築物１の窓１ａの外周壁面に固定したい場合においても単に取付板Ａから押さえ板Ｂを脱着すればこの取付板Ａを建築物１の窓１ａの外周壁面に当接して固定でき、使用者の好みにより取付板１を窓１ａのサッシ枠７のリブ７ａに固定したり建築物１の外壁面に固定したりといった取り付けスタイルの適宜選択使用が可能で一層利便性に秀れるなど、画期的で極めて実用性に秀れた商品価値の高い格子取付金具となる。
【００６１】
また、本実施例においては、取付板Ａ及び押さえ板Ｂを、単に板材を屈曲成形すると共にこの板材に孔を穿設したり切り出しや切り込みを設けることで、上記秀れた作用効果を確実に発揮できるうえに製造が容易で生産性にも秀れた簡易な構成で実現可能とした為、生産性やコスト面においても秀れる一層実用性に秀れた格子取付金具となる。
【００６２】
尚、本発明は、本実施例に限られるものではなく、各構成要件の具体的構成は適宜設計し得るものである。
【図面の簡単な説明】
【００６３】
【図１】本実施例に係る格子取付金具の分解斜視図である。
【図２】本実施例に係る格子取付金具の説明斜視図である。
【図３】本実施例に係る格子取付金具の説明断面図である。
【図４】本実施例に係る格子取付金具の説明斜視図である。
【図５】本実施例に係る格子取付金具の説明断面図である。
【図６】本実施例に係る格子取付金具の使用状態図である。
【図７】従来例を示す説明斜視図
【符号の説明】
【００６４】
１  建築物
１ａ  窓
２  格子体
３  格子体側締付固定手段
３ａ  締付ネジ
４  建築物側固定手段
５  挟持固定部
６  押さえ部
６ａ  突状部
７  サッシ枠
７ａ  リブ
８  係止部
８ａ  切り出し部
９  係合部
９ａ  切り込み部
10  ネジ通孔
11  ネジ通孔
Ａ  取付板
Ｂ  押さえ板
Ｔ  位置決め重合手段
【図１】
2007070959.tif 000003
【図２】
2007070959.tif 000004
【図３】
2007070959.tif 000005
【図４】
2007070959.tif 000006
【図５】
2007070959.tif 000007
【図６】
2007070959.tif 000008
【図７】
2007070959.tif 000009